(57)【要約】  ＩＰマルチメディアサブシステム（ＩＭＳ）ネットワークのノードと、ユーザ装置（ＵＥ）との間の接続を回復する方法である。ＵＥは、前記ＩＭＳネットワークのプロキシ呼セッション制御機能ノード（Ｐ−ＣＳＣＦ）と、ＵＥをＩＭＳネットワークに接続するパケットアクセスネットワークの少なくとも一つの制御ノードに関連付けされている。この方法により、前記Ｐ−ＣＳＣＦノードを介した前記ＵＥとの通信の確立において前記ＩＭＳノードに障害が生じた後に、ＵＥのＩＭＳネットワークノードへの接続を回復することが可能になる。【選択図】なし
2015520999.tif 000002
【特許請求の範囲】
【請求項１】
ＩＰマルチメディアサブシステム（ＩＭＳ）ネットワークのノードと、ユーザ装置（ＵＥ）との間の接続を回復する方法であって、前記ＵＥは前記ＩＭＳネットワークのプロキシ呼セッション制御機能ノード（Ｐ−ＣＳＣＦ）に関連付けされており、前記ＵＥはさらに、前記ＩＭＳネットワークに接続するために前記ＵＥによって使用されるパケットアクセスネットワークの少なくとも一つの制御ノードに関連付けされており、前記Ｐ−ＣＳＣＦノードを介した前記ＵＥとの通信の確立において前記ＩＭＳノードに障害が生じており、前記方法は、
−  前記ＩＭＳノードにおいて、ホーム加入サーバ（ＨＳＳ）ノードへ、前記ＵＥに前記パケットアクセスネットワークへの前記ＵＥの接続をリセットするように要求する第１のＤＩＡＭＥＴＥＲ要求を送信すること（１０；４０）と、
−  前記ＨＳＳノードにおいて、前記ＩＭＳノードからの前記第１のＤＩＡＭＥＴＥＲ要求を受信し、前記ＵＥのアイデンティティを提供し、前記パケットアクセスネットワークにおいて前記ＵＥが関連付けされている少なくとも一つの制御ノードのアドレスを検索し、前記ＵＥに前記パケットアクセスネットワークへの前記ＵＥの接続をリセットするように要求する第２の要求を前記少なくとも一つの制御ノードへ送信すること（２０；５０）と、
−  前記制御ノードにおいて、前記ＨＳＳノードから前記第２の要求を受信し、前記ＵＥに前記パケットアクセスネットワークへの前記ＵＥの接続をリセットするように要求する第３の要求を前記ＵＥへ送信することであって、前記リセットは前記ＩＭＳネットワークの利用可能なＰ−ＣＳＣＦノードへの登録を含む、送信すること（３０；６０）と
を含む方法。
【請求項２】
インターネットマルチメディアサブシステム（ＩＭＳ）ネットワークノードにおいて、ユーザ装置（ＵＥ）にパケットアクセスネットワークへの前記ＵＥの接続をリセットするように要求する方法であって、前記ＵＥに前記パケットアクセスネットワークへの前記ＵＥの接続をリセットするように要求する第１のＤＩＡＭＥＴＥＲ要求をホーム加入サーバ（ＨＳＳ）ノードへ送信すること（４０）を含む方法。
【請求項３】
ホーム加入サーバ（ＨＳＳ）ノードにおいて第１のＤＩＡＭＥＴＥＲ要求に対処する方法であって、前記要求はＩＭＳノードから受信したものであり、前記要求はＵＥにパケットアクセスネットワークへの前記ＵＥの接続をリセットするように要求するものであり、前記方法は、前記ＵＥが関連付けされている前記パケットアクセスネットワークの制御ノードのアイデンティティを提供することと、前記ＵＥに前記パケットアクセスネットワークへの前記ＵＥの接続をリセットするように要求する第２の要求を前記制御ノードへ送信すること（５０）を含む方法。
【請求項４】
ユーザ装置（ＵＥ）が関連付けされているパケットアクセスネットワークの制御ノードにおいて第２の要求に対処する方法であって、前記要求は、ホーム加入サーバ（ＨＳＳ）ノードから受信され、前記ＵＥに前記パケットアクセスネットワークへの前記ＵＥの接続をリセットするように要求するものである、前記ＵＥに前記パケットアクセスネットワークへの前記ＵＥの接続をリセットするように要求すること（６０）を含む方法。
【請求項５】
前記第１のＤＩＡＭＥＴＥＲ要求は、「ＮＥＷ＿ＲＥＧＩＳＴＲＡＴＩＯＮ  ＮＥＥＤＥＤ」を示すユーザ認可タイプのアトリビュートバリューペア（ＡＶＰ）値を有するＤＩＡＭＥＴＥＲユーザ認可要求（ＵＡＲ）である、請求項１から３のいずれか一項に記載の方法。
【請求項６】
前記第２の要求は、「ＲＥ＿ＡＴＴＡＣＨ＿ＰＲＯＣＥＤＵＲＥ」を示す削除タイプのアトリビュートバリューペア（ＡＶＰ）値を有するＤＩＡＭＥＴＥＲの位置削除要求（ＣＬＲ）である、請求項１、３、及び４のいずれか一項に記載の方法。
【請求項７】
前記ＩＭＳノードは、サービング呼セッション制御機能（Ｓ−ＣＳＣＦ）である、請求項１から３のいずれか一項に記載の方法。
【請求項８】
前記ＩＭＳノードがＩＭＳアプリケーションサーバ（ＩＭＳ  ＡＳ）ノードであり、前記ＩＭＳ  ＡＳは携帯パケットサービスを介して音声及びマルチメディア通信サービスを提供するマルチメディアテレフォニーアプリケーションサーバ（ＭＭＴｅｌ  ＡＳ）、又はロングタームエボリューション（ＬＴＥ）ネットワークを介して音声を提供するテレフォニーアプリケーションサーバ（ＴＡＳ）、又はセッション継続集中アプリケーションサーバ（ＳＣＣ  ＡＳ）である、請求項１から３のいずれか一項に記載の方法。
【請求項９】
前記パケットアクセスネットワークがロングタームエボリューション（ＬＴＥ）ネットワークであり、前記制御ノードがモバイル管理エンティティ（ＭＭＥ）ノードである、請求項１から８のいずれか一項に記載の方法。
【請求項１０】
前記パケットアクセスネットワークが汎用パケット無線サービス（ＧＰＲＳ）ネットワークであり、前記制御ノードがサービングＧＰＲＳサポートノード（ＳＧＳＮ）である、請求項１から８のいずれか一項に記載の方法。
【請求項１１】
ＩＰマルチメディアサブシステム（ＩＭＳ）ネットワークノードとして動作するように構成された装置（１００）であって、
ＤＩＡＭＥＴＥＲ要求を送信するための伝送ユニット（１１０）と、
処理ユニット（１２０）であって、
−  ユーザ装置（ＵＥ）にパケットアクセスネットワークへの前記ＵＥの接続をリセットするように要求する第１のＤＩＡＭＥＴＥＲ要求（１１１）を生成し、
−  前記第１のＤＩＡＭＥＴＥＲ要求をホーム加入サーバ（ＨＳＳ）ノードへ伝送するように構成された処理ユニットと
を備える装置。
【請求項１２】
前記装置が、サービング呼セッション制御機能（Ｓ−ＣＳＣＦ）ＩＭＳノードとして動作するように構成されている、請求項１１に記載の装置。
【請求項１３】
前記装置はＩＭＳアプリケーションサーバ（ＡＳ）ノードとして動作するように構成され、前記ＩＭＳ  ＡＳは携帯パケットサービスを介して音声及びマルチメディア通信サービスを提供するマルチメディアテレフォニーアプリケーションサーバ（ＭＭＴｅｌ  ＡＳ）、又はロングタームエボリューション（ＬＴＥ）ネットワークを介して音声を提供するＩＭＳテレフォニーアプリケーションサーバ（ＴＡＳ）、又はＩＭＳセッション継続集中アプリケーションサーバ（ＳＣＣ  ＡＳ）である、請求項１１に記載の装置。
【請求項１４】
ホーム加入サービス（ＨＳＳ）ノードとして動作するように構成された装置（２００）であって、
要求を送信するための伝送ユニット（２１０）と、
ＤＩＡＭＥＴＥＲ要求を受信するための受信ユニット（２４０）と、
ユーザ装置（ＵＥ）と、処理ユニット（２２０）に関連するアイデンティティを記憶するように構成された記憶装置（２３０）であって、
−  前記ユーザ装置（ＵＥ）にパケットアクセスネットワークへの前記ＵＥの接続をリセットするように要求する第１のＤＩＡＭＥＴＥＲ要求（２４１）を受信し、
−  前記ＵＥに前記パケットアクセスネットワークへの前記ＵＥの接続をリセットするように要求する第２の要求（２１１）を生成し、
−  前記パケットアクセスネットワークの制御ノードへ前記第２の要求を伝送するように構成され、前記ＵＥは前記制御ノードに関連付けされている記憶装置と
を備える装置。
【請求項１５】
前記第１のＤＩＡＭＥＴＥＲ要求は、「ＮＥＷ＿ＲＥＧＩＳＴＲＡＴＩＯＮ  ＮＥＥＤＥＤ」を示すユーザ認可タイプのアトリビュートバリューペア（ＡＶＰ）値を有するＤＩＡＭＥＴＥＲユーザ認可要求（ＵＡＲ）である、請求項１１から１４のいずれか一項に記載の装置。
【請求項１６】
パケットアクセスネットワークの制御ノードとして動作するように構成された装置（３００）であって、
要求を送信するための伝送ユニット（３１０）と、
要求を受信するための受信ユニット（３４０）と、
処理ユニット（３２０）であって、
−  ユーザ装置（ＵＥ）にパケットアクセスネットワークへの前記ＵＥの接続をリセットするように要求する第２の要求（３４１）を受信し、
−  前記ＵＥに前記パケットアクセスネットワークへの前記ＵＥの接続をリセットするように要求する要求（３１１）を生成し、
−  前記ＵＥに前記要求を伝送するように構成された前記処理ユニットと
を備える装置。
【請求項１７】
前記パケットアクセスネットワークはロングタームエボリューション（ＬＴＥ）ネットワークであり、前記制御ノードはモバイル管理エンティティ（ＭＭＥ）ノードである、請求項１４から１６のいずれか一項に記載の装置。
【請求項１８】
前記パケットアクセスネットワークが汎用パケット無線サービス（ＧＰＲＳ）ネットワークであり、前記制御ノードがサービングＧＰＲＳサポートノード（ＳＧＳＮ）である、請求項１４から１６のいずれか一項に記載の装置。
【請求項１９】
前記第２の要求は、「ＲＥ＿ＡＴＴＡＣＨ＿ＰＲＯＣＥＤＵＲＥ」を示す削除タイプのアトリビュートバリューペア（ＡＶＰ）値を有するＤＩＡＭＥＴＥＲの位置削除要求（ＣＬＲ）である、請求項１４から１８のいずれか一項に記載の装置。
【発明の詳細な説明】
【技術分野】
【０００１】
本発明は、ＩＰマルチメディアサブシステム（ＩＭＳ）ネットワークのプロキシ呼セッション制御機能（Ｐ−ＣＳＣＦ）ノードの障害に対処することに関するものである。具体的には、本発明はＩＭＳネットワークのアプリケーションサーバ（ＡＳ）が正常に動作していないＰ−ＣＳＣＦノードに登録されたユーザ装置（ＵＥ）に接続しようとする際のＰ−ＣＳＣＦノードの障害に対処することに関するものである。
【背景技術】
【０００２】
ＩＰマルチメディア（ＩＰＭＭ）サービスは、同じセッション内で音声、ビデオ、メッセージング、データ等の動的な組み合わせを提供する。組み合わせが可能な基本のアプリケーションとメディアの数を増加させることによって、エンドユーザに提供されるサービスの数が増え、対人コミュニケーションの経験が豊かになる。これは、いわゆる「組み合わせＩＰマルチメディア」サービスを含む、豊かな個人向け新世代マルチメディア通信サービスにつながる。
【０００３】
ＩＰマルチメディアサブシステム（ＩＭＳ）は、モバイル通信ネットワークを介してＩＰマルチメディアサービスを提供するための第３世代パートナーシッププロジェクト（３ＧＰＰ）によって定義される技術である。ＩＭＳは、サービスの統合及び相互作用を通して、エンドユーザの個人対個人のコミュニケーションの経験を豊かにする重要な機構を提供する。ＩＭＳにより、ＩＰベースのネットワークを介した新たな豊かな個人対個人の（クライアント対クライアントの）及び人対コンテンツの（クライアント対サーバの）通信が可能になる。ＩＭＳは、ユーザ端末（又はユーザ端末とアプリケーションサーバ）間の呼又はセッションを設定し制御するセッション開始プロトコル（ＳＩＰ）を使用する。セッションのメディアコンポーネントを記述し協定するために、ＳＩＰシグナリングによって伝達されるセッション記述プロトコル（ＳＤＰ）が使用される。ＳＩＰはユーザ対ユーザのプロトコルとして作成されたが、ＩＭＳによりオペレータとサービスプロバイダがユーザのサービスへのアクセスを制御し、必要に応じてユーザを変更することが可能になる。リアルタイムトランスポートプロトコル、及びリアルタイムトランスポート制御プロトコル（ＲＴＰ／ＲＴＣＰ）等のメディアの伝送及び制御には他のプロトコルが使用される。
【０００４】
ＩＭＳネットワーク内で、呼セッション制御機能（ＣＳＣＦ）はシグナリングへの対処及びルーティングを実行する。ＣＳＣＦはＳＩＰ／ＳＤＰプロトコル群を使用して、ＩＰマルチメディアセッションのセッション確立、修正及び開放に対処する。３ＧＰＰ  ＴＳ２３．２２８には、論理ノード  Ｐ−ＣＳＣＦ、Ｉ−ＣＳＣＦ、  Ｓ−ＣＳＣＦ、Ｅ−ＣＳＣＦ及び  ＢＧＣＦが記載されている。Ｓ−ＣＳＣＦは、３ＧＰＰ  ＴＳ  ２４．２２９に従い、ユーザ装置（ＵＥ）のセッション制御サービスを実行する。Ｓ−ＣＳＣＦは、サービスをサポートするためにセッションの状態を維持し、下記の機能を実行し、
登録において［ＲＦＣ３２６１］に従ってレジストラとして機能し、
登録の変更について加入者に通知し、
登録されたユーザのセッションのセッション制御を提供し、
ＳＩＰ要求に対処し、
これらを内部でサービングする、又はこれらをさらなるノードへ転送し、
ＩＭＳアプリケーションサーバとやり取りを行う。
【０００５】
Ｓ−ＣＳＣＦは、３ＧＰＰルーティング手順に従ってＳＩＰルーティングを実行する。インバウンドＳＩＰトラフィックでは、Ｓ−ＣＳＣＦは、加入者登録中にアドレスが記憶されたそのＰ−ＣＳＣＦへセッションをルーティングする。アウトバウンドＳＩＰトラフィックでは、Ｓ−ＣＳＣＦは、呼をどのようにルーティングすべきかを判断するためにＤＮＳ／ＥＮＵＭに問い合わせを行う。Ｓ−ＣＳＣＦは、ホーム加入者サーバ（ＨＳＳ）とやり取りして、加入者データを取得し、ＤＩＡＭＥＴＥＲメッセージを使用して認証情報を交換する。
【０００６】
ユーザ装置（ＵＥ）は一般に、無線アクセスネットワーク（ＲＡＮ）を通してＩＭＳネットワークに接続する。ＩＭＳネットワークへのエントリの第１ポイントは、プロキシ呼セッション制御機能（Ｐ−ＣＳＣＦ）である。ＵＥが特定のＰ−ＣＳＣＦに登録されると、ＵＥにおいて発信され及び着信したすべてのＳＩＰシグナリングがこのＰ−ＣＳＣＦを通してルーティングされる。
【０００７】
既存の無線アクセスネットワークは、２Ｇ及び３Ｇ規格に準拠したセルラーネットワークを備える。いわゆる４Ｇネットワークを展開させるプロセスはまだ始まったばかりであり、２Ｇ及び３Ｇネットワークを完全に撤退させてもよいほどに４Ｇネットワークカバレッジが十分となるには多くの年月がかかる。  
【０００８】
４Ｇ技術をさらに考慮してみると、これは、３ＧＰＰのＬＴＥ（ロングタームエボリューション）、及びＳＡＥ（システムアーキテクチャエボリューション）という名称で指定されている。ＬＴＥ無線アクセスネットワーク技術は、（それぞれＧＥＲＡＮ及びＵＴＲＡＮ無線アクセスネットワーク技術を使用して）パケット交換及び回路交換アクセスの両方を提供する２Ｇ及び３Ｇとは対照的に、パケット交換アクセスのみを実行する。２Ｇ及び３Ｇネットワークでは、パケット交換接続を使用してデータが伝達されるが、回路交換接続は音声呼等のリアルタイムサービスに使用される。４Ｇネットワークでは、すべてのサービスはパケット交換接続を介して伝達される。ユーザが（拡張ＵＴＲＡＮ又はＥ−ＵＴＲＡＮと呼ばれる）ＬＴＥ無線アクセスネットワークにアタッチされた時に音声呼が開始された場合、その呼は当然ながらパケット交換接続を使用する。
【０００９】
ＩＭＳネットワークは、様々なサービスを実行するいくつかのアプリケーションサーバ（ＡＳ）を備えることができる。例えば、音声呼は、音声呼を確立し制御するサービス論理を実行するマルチメディアテレフォニー（ＭＭＴｅｌ）アプリケーションサーバによってＩＭＳネットワークを使って確立させることができる。
【００１０】
具体的には、ＧＳＭアソシエーション（ＧＳＭＡ）がＬＴＥを介した音声（ＶｏＬＴＥ）プロファイル、（音声及びＳＭＳ  Ｖ４．０のＧＳＭＡ  ＩＲ．９２  ＩＭＳプロファイル  ｈｔｔｐ：／／ｗｗｗ．ｇｓｍｗｏｒｌｄ．ｃｏｍ／ｄｏｃｕｍｅｎｔｓ／ＩＲ９２４０．ｐｄｆ）を発行している。  上記には、ＩＭＳをテレフォニーサービスエンジンとして使用する、ＬＴＥ  ＲＡＮを介したテレフォニーサービスのネットワーク及び端末相互運用性の要件が規定されている。  
【００１１】
ＵＥが登録されているＰ−ＣＳＣＦに障害がある場合、いくつかの状況が生じ得る。例えば、ＵＥが、例えばパケット音声呼等のＩＭＳネットワークのＡＳが対処する発信通信レグを発信しようとした場合、ＵＥは利用できないＰ−ＣＳＣＦから有効な応答を受信しない。ＵＥがＩＭＳに到達することができない間、この場合、ＵＥは異なる利用可能なＰ−ＣＳＣＦノードに登録するように構成される。再登録が行われると、ＵＥはＩＭＳネットワークへのアクセスを回復しており、そのアプリケーションサーバのうちの一つを通じて発信呼を行う。
【００１２】
ＵＥが、例えばパケット音声呼等のＩＭＳネットワークのＡＳが対処中の通信連鎖の着信端にある場合、下記の問題が生じる。ＩＭＳネットワークのＳ−ＣＳＣＦノードは、ＳＩＰ  ＩＮＶＩＴＥ要求を対象のＵＥが登録されたＰ−ＣＳＣＦに方向づけする。Ｐ−ＣＳＣＦは通常ＵＥへ要求を伝え、これにより、ＵＥは通信レグを終端処理することができる。しかしながら、Ｐ−ＣＳＣＦが利用できない場合、要求しているＳ−ＣＳＣＦはＵＥと接触する手段を持たず、呼が切れる。この問題はＶｏＬＴＥ設定における呼に対して生じるが、障害が生じたＰ−ＣＳＣＦを通じてＵＥに到達しようとしている他のＩＭＳベースのサービスも同じような影響を受ける。
【００１３】
図１は、ＶｏＬＴＥ設定の考察におけるアーキテクチャを示す概略図である。ユーザ端末、又はＵＥはＬＴＥ無線アクセスネットワークに接続する。拡張ノードＢ（ｅＮｏｄｅＢ）はとりわけ、ＬＴＥ  ＲＡＮ内の無線アクセスの制御を提供する。サービングゲートウェイ（Ｓ−ＧＷ）はユーザプレーンにあり、ｅＮｏｄｅＢ及びパケットデータネットワーク（ＰＤＮ）ゲートウェイ（Ｐ−ＧＷ）から及びこれらへパケットを転送しルーティングする。Ｐ−ＧＷノードは、例えば図示したＩＭＳネットワーク等の図示したＰ−ＣＳＣＦノードがエントリポイントである他のパケットデータネットワークとインターフェース接続する。ＵＥはＰ−ＣＳＣＦノードに登録される。図１はさらに、ポリシー及び課金ルール機能（ＰＣＲＦ）ノードとモビリティ管理エンティティ（ＭＭＥ）を示す。Ｓ／Ｐ−ＧＷ及びＭＭＥは、ＬＴＥ進化パケットコア（ＥＰＣ）に存在する。ＭＭＥはＬＴＥアクセスネットワークの重要な制御ノードである。ＭＭＥは、再伝送を含むアイドリングモードのＵＥのトラッキング及びページング手順に関与している。図１はさらに、加入者のホームネットワーク内に存在するホーム加入者サーバ（ＨＳＳ）を示す。
【００１４】
Ｐ−ＣＳＣＦの障害、又は誤動作の結果、Ｐ−ＣＳＣＦに前に登録されているすべてのＵＥは、ＩＭＳネットワークを通して構成された着信呼をもはや受信することができない。各ＵＥを、ＩＭＳネットワークの少なくとも２つの異なるＰ−ＣＳＣＦノードに登録することが推奨されている。この解決策により、両方のＰ−ＣＳＣＦに同時に障害が生じる確率は低いため、記載された問題の影響がある程度軽減される。したがって、ＵＥは任意の時点でＵＥが登録されたＰ−ＣＳＣＦノードのうちの少なくとも一つを通して到達可能となりうる。しかしながら、上記解決策はＶｏＬＴＥの仕様の一部として予測されるものではなく、したがって、上記の問題が生じる主要な用途のうちの一つに適用可能ではない。
【００１５】
さらなる提案は、ＩＭＳネットワークのＰ−ＣＳＣＦノードに接続する無線アクセスネットワークのＰＤＮゲートウェイノードによりＰ−ＣＳＣＦノードの利用可能性を定期的に確認することである。これは、一定の間隔でピング（ｐｉｎｇ）信号を送信することによって実施可能である。障害が検出された場合、パケットゲートウェイノードは、利用できないＰ−ＣＳＣＦに登録されたすべてのＵＥへ利用可能な代替Ｐ−ＣＳＣＦノードのアドレスを送信する。これらのＵＥは次に、代替Ｐ−ＣＳＣＦノードのうちの一つに自身を再登録することができる。この解決策には、Ｐ−ＣＳＣＦに障害が生じた場合の、無線アクセスネットワークにおけるポテンシャルマスシグナリング（ｐｏｔｅｎｔｉａｌ  ｍａｓｓ  ｓｉｇｎａｌｌｉｎｇ）が含まれる。さらに、この解決策では、ほんの一部のＵＥのみが上述した問題を経験している場合があるにも関わらず、利用できないＰ−ＣＳＣＦノードに登録されているすべてのＵＥを再登録する必要がある。実際には、ＩＭＳネットワークが対処する呼が、利用できないＰ−ＣＳＣＦノードに登録されたＵＥにおいて着信されるべきである時にのみ、問題が生じる。
【００１６】
３つめのオプションは、各ＵＥにＰ−ＣＳＣＦノードに頻繁に再登録させることである。前に使用したＰ−ＣＳＣＦノードへの再登録に障害が生じた場合、ＵＥは代替の利用可能なＰ−ＣＳＣＦノードに登録する。しかしながら、この解決策では、通常セルラーネットワークアクセスが使用されるためにＵＥを実行する端末のバッテリが早くなくなってしまう。
【発明の概要】
【００１７】
本発明の第１態様によれば、ＩＰマルチメディアサブシステム（ＩＭＳ）ネットワークのノードと、ユーザ装置（ＵＥ）との間の接続を回復する方法が提供されている。ＵＥは前記ＩＭＳネットワークのプロキシ呼セッション制御機能ノード（Ｐ−ＣＳＣＦ）と、パケットアクセスネットワークの少なくとも一つの制御ノードに関連付けられている。ＵＥは、前記パケットアクセスネットワークを使用してＩＭＳネットワークに接続する。前記Ｐ−ＣＳＣＦノードを介した前記ＵＥとの通信の確立においてＩＭＳノードに障害が生じた後で、本方法は下記のように進む。
・前記ＩＭＳノードにおいて、ＵＥに前記パケットアクセスネットワークへのＵＥの接続をリセットするように要求する第１のＤＩＡＭＥＴＥＲ要求をホーム加入サーバ（ＨＳＳ）ノードを送信し；
・前記ＨＳＳノードにおいて、前記ＩＭＳノードから前記第１のＤＩＡＭＥＴＥＲ要求を受信し、前記ＵＥのアイデンティティを提供し、前記パケットアクセスネットワークにおいて前記ＵＥが関連付けされている少なくとも一つの制御ノードのアドレスを検索し、前記少なくとも一つの制御ノードへ、ＵＥに前記パケットアクセスネットワークへのＵＥの接続をリセットするように要求する第２の要求を送信し；
・前記制御ノードにおいて、前記ＨＳＳノードから前記第２の要求を受信し、ＵＥに前記パケットアクセスネットワークへのＵＥの接続をリセットするように要求する前記ＩＭＳネットワークの利用可能なＰ−ＣＳＣＦノードへの登録を含む第３の要求を前記ＵＥへ送信する。
【００１８】
第１のＤＩＡＭＥＴＥＲ要求は、「ＮＥＷ＿ＲＥＧＩＳＴＲＡＴＩＯＮ  ＮＥＥＤＥＤ」を示すユーザ認可タイプのアトリビュートバリューペア（ＡＶＰ）値を有するＤＩＡＭＥＴＥＲユーザ認可要求（ＵＡＲ）であることが好ましい場合がある。
【００１９】
本発明の第２態様によれば、インターネットマルチメディアサブシステム（ＩＭＳ）ネットワークノードにおいて、ユーザ装置（ＵＥ）にパケットアクセスネットワークへのＵＥの接続をリセットするように要求する方法が提供されている。この方法は、ＵＥに前記パケットアクセスネットワークへのＵＥの接続をリセットするように要求する第１のＤＩＡＭＥＴＥＲ要求をホーム加入サーバ（ＨＳＳ）ノードへ送信することを含む。
【００２０】
本発明の第３態様によれば、ホーム加入サーバ（ＨＳＳ）ノードにおいて第１のＤＩＡＭＥＴＥＲメッセージに対処する方法が提供されている。このメッセージはＩＭＳノードから受信され、ＵＥにパケットアクセスネットワークへのＵＥの接続をリセットするように要求するものである。本方法はさらに、ＵＥが関連付けされている前記パケットアクセスネットワークの制御ノードのアイデンティティを提供することと、ＵＥに前記パケットアクセスネットワークへのＵＥの接続をリセットするように要求する第２の要求を前記制御ノードに送信することとを含む。
【００２１】
第２の要求は、「ＲＥ＿ＡＴＴＡＣＨ＿ＰＲＯＣＥＤＵＲＥ」を示す削除タイプのアトリビュートバリューペア（ＡＶＰ）値を有するＤＩＡＭＥＴＥＲの位置削除要求（ＣＬＲ）であることが好ましい場合がある。
【００２２】
本発明の第４態様によれば、ユーザ装置（ＵＥ）が関連付けされているパケットアクセスネットワークの制御ノードにおいて要求に対処する方法が提供されている。この要求は、ホーム加入サーバ（ＨＳＳ）ノードから受信され、前記ＵＥに前記パケットアクセスネットワークへのＵＥの接続をリセットするように要求するものであり、本方法は前記ＵＥに前記パケットアクセスネットワークへのＵＥの接続をリセットするように要求することを含む。
【００２３】
好ましくは、前記ＩＭＳノードはサービング呼セッション制御機能（Ｓ−ＣＳＣＦ）であってよい。
【００２４】
前記ＩＭＳノードは、ＩＭＳアプリケーションサーバ（ＩＭＳ  ＡＳ）ノードでありうることが好ましい。ＩＭＳ  ＡＳは携帯パケットサービスを介して音声及びマルチメディア通信サービスを提供するマルチメディアテレフォニーアプリケーションサーバ（ＭＭＴｅｌ  ＡＳ）、又はロングタームエボリューション（ＬＴＥ）ネットワークを介して音声を提供するテレフォニーアプリケーションサーバ（ＴＡＳ）、又はセッション継続集中アプリケーションサーバ（ＳＣＣ  ＡＳ）でありうることが好ましい。
【００２５】
好ましくは、前記パケットアクセスネットワークはロングタームエボリューション（ＬＴＥ）ネットワークであってよく、前記制御ノードは前記ＬＴＥネットワークのモバイル管理エンティティ（ＭＭＥ）ノードであってよい。
【００２６】
あるいは、好ましくは、前記パケットアクセスネットワークは汎用パケット無線サービス（ＧＰＲＳ）ネットワークであってよく、前記制御ノードは前記ＧＰＲＳネットワークのサービングＧＰＲＳサポートノード（ＳＧＳＮ）であってよい。
【００２７】
本発明のさらなる態様によれば、ＩＰマルチメディアサブシステム（ＩＭＳ）ネットワークノードとして動作するように構成された第１ノードを備える装置が提供されている。この装置は、ＤＩＡＭＥＴＥＲ要求を送信するための伝送ユニットと、プロセッサユニットを備え、プロセッサユニットは、
−  ユーザ装置、ＵＥにパケットアクセスネットワークへのＵＥの接続をリセットするように要求するＤＩＡＭＥＴＥＲ要求を生成し、
−  前記ＤＩＡＭＥＴＥＲ要求をホーム加入サーバ（ＨＳＳ）ノードへ伝送するように構成されている。
【００２８】
ＩＭＳモードはサービング呼セッション制御機能（Ｓ−ＣＳＣＦ）ノードとして構成されうることが好ましい。
【００２９】
ＩＭＳノードは、ＩＭＳアプリケーションサーバ（ＩＭＳ  ＡＳ）ノードとして構成しうることが好ましく、ＩＭＳ  ＡＳは、携帯パケットサービスを介して音声及びマルチメディア通信サービスを提供するマルチメディアテレフォニーアプリケーションサーバ（ＭＭＴｅｌ  ＡＳ）である、又はロングタームエボリューション（ＬＴＥ）ネットワークを介して音声を提供するテレフォニーアプリケーションサーバ（ＴＡＳ）である、又はセッション継続集中アプリケーションサーバ（ＳＣＣ  ＡＳ）である。
本発明による別の態様によれば、ホーム加入サービス（ＨＳＳ）ノードとして動作するように構成された第２ノードを備える装置が提供されている。この装置は、要求を送信するための伝送ユニットと、ＤＩＡＭＥＴＥＲ要求を受信するための受信ユニットと、ユーザ装置（ＵＥ）に関連するアイデンティティを記憶するように構成された記憶装置と、処理ユニットとを備える。処理ユニットは、
−  ユーザ装置（ＵＥ）にパケットアクセスネットワークへのＵＥの接続をリセットするように要求するＤＩＡＭＥＴＥＲ要求を受信し、
−  ＵＥに前記パケットアクセスネットワークへのＵＥの接続をリセットするように要求する要求を生成し、
−  前記要求を前記制御ノードへ伝送する
ように構成されている。
【００３０】
本発明によるさらに別の態様によれば、パケットアクセスネットワークの制御ノードとして動作するように構成された第３ノードを備える装置が提供されている。この装置は、要求を送信するための伝送ユニットと、要求を受信するための受信ユニットと、処理ユニットとを備える。処理ユニットは、
−  ユーザ装置（ＵＥ）にパケットアクセスネットワークへのＵＥの接続をリセットするように要求する要求を受信し、
−  ＵＥに前記パケットアクセスネットワークへのＵＥの接続をリセットするように要求する要求を生成し、
−  前記ＵＥへの前記要求を伝送する
ように構成されている。
【００３１】
パケットアクセスネットワークはロングタームエボリューション（ＬＴＥ）ネットワークでありうることが好ましく、前記制御ノードはモバイル管理エンティティ（ＭＭＥ）ノードでありうることが好ましい。
【００３２】
あるいは、パケットアクセスネットワークは汎用パケット無線サービス（ＧＰＲＳ）であってよく、前記制御ノードはサービングＧＰＲＳサポートノード（ＳＧＳＮ）であってよい。
【００３３】
本発明による方法及び装置を使用すれば、ＵＥが登録されていたＰ−ＣＳＣＦノードの障害のためにＩＭＳアプリケーションサーバとＵＥとの間の通信リンクに障害が生じた後で、この通信を回復することが可能である。この方法は、ＵＥの無線アクセスネットワークにおけるマスシグナリングを回避し、ユーザ端末が頻繁にネットワークに再登録しなくてもよいため、ユーザ端末のバッテリを消耗させない。この方法はさらに、ＶｏＬＴＥの仕様と互換性のある手順を主に使用するため、ＶｏＬＴＥアーキテクチャの音声呼のサービスの質を上げることが可能になる。
【００３４】
本発明の態様を、例としてのみ、添付の図面を参照して下記にさらに記載する。
【図面の簡単な説明】
【００３５】
【図１】ＬＴＥ無線アクセスネットワークを含む既知のネットワークアーキテクチャと、ＩＭＳネットワークを示す図である。
【図２】本発明の一実施形態による方法のステップを示すフロー図である。
【図３】本発明の一実施形態による方法のステップを示すフロー図である。
【図４】本発明の一実施形態による方法のステップを示すフロー図である。
【図５】本発明の一実施形態による方法のステップを示すフロー図である。
【図６】Ｐ−ＣＳＣＦの障害を検出する方法に関連するシグナリングを示す図である。
【図７】Ｐ−ＣＳＣＦの障害を検出する方法に関連するシグナリングを示す図である。
【図８】本発明の一実施形態による方法に関連するシグナリングを示す図である。
【図９】本発明の一実施形態による方法に関連するシグナリングを示す図である。
【図１０】本発明によるＩＭＳノードを実行する装置の一実施形態を示す概略図である。
【図１１】本発明によるＨＳＳノードを実行する装置の一実施形態を示す概略図である。
【図１２】本発明による制御ノードを実行する装置の一実施形態を示す概略図である。
【発明を実施するための形態】
【００３６】
本発明によれば、ＩＰマルチメディアサブシステム（ＩＭＳ）ネットワークのノードと、ユーザ装置（ＵＥ）との間の接続を回復する方法が提供されている。ＵＥは、前記ＩＭＳネットワークのプロキシ呼セッション制御機能ノード（Ｐ−ＣＳＣＦ）と関連付けされている。さらに、ＵＥは、ＩＭＳネットワークへ接続するためにＵＥが使用するパケットアクセスネットワークの制御ノードと関連付けされている。さらに、前記Ｐ−ＣＳＣＦノードを介した前記ＵＥとの通信の確立において前記ＩＭＳノードに障害が生じている。
【００３７】
図２は、本方法による主なステップを示す図である。ＵＥに到達するように意図されたＳ−ＣＳＣＦノード又はＡＳノードがＰ−ＣＳＣＦの障害を検出すると、下記を進める。対応するＳＩＰシグナリングに対処するＳ−ＣＳＣＦノードは、ＤＩＡＭＥＴＥＲメッセージをＨＳＳノードへ送信する。これはステップ１０に対応する。ＤＩＡＭＥＴＥＲメッセージは、ＵＥの新たな登録が必要であることを、ユーザ認可タイプのアトリビュートバリューペア（ＡＶＰ）の新たな値を通して示す、ＤＩＡＭＥＴＥＲユーザ認可要求（ＵＡＲ）であることが好ましい。ユーザ認可タイプのＡＶＰの新たな値は、「ＮＥＷ＿ＲＥＧＩＳＴＲＡＴＩＯＮ＿ＮＥＥＤＥＤ」であることが好ましい。この要求はＵＥのＩＭＳアイデンティティ（ＩＭＰＵ）を含むことが好ましい。
【００３８】
あるいは、ＤＩＡＭＥＴＥＲメッセージは、該当のセルラーパケット接続のリセットが要求されていることを示す、ＤＩＡＭＥＴＥＲサーバ割当て要求（ＳＡＲ）であってよい。この場合、ＳＡＲ要求は、リセット要求を伝達するアトリビュートバリューペア（ＡＶＰ）を含む。  
【００３９】
上記で指定されたＤＩＡＭＥＴＥＲメッセージを受信すると、ＨＳＳノードは受信したＩＭＰＵを対応するパケットシステムアイデンティティ（ＩＭＳＩ）に変換し、どのパケット制御ノードが対応するパケット登録を行うかを検索する。ＵＥがＬＴＥ  ＲＡＮにアタッチされた時、対応するノードはＬＴＥアーキテクチャのＭＭＥノードである。ＨＳＳノードは続けて、ＵＥのパケットアクセスのリセットを要求するＤＩＡＭＥＴＥＲメッセージを識別されたＭＭＥノードへ送信する。ＤＩＡＭＥＴＥＲメッセージは、新たな値、例えば「ＲＥ＿ＡＴＴＡＣＨ＿ＰＲＯＣＥＤＵＲＥ」を有する削除タイプのＡＶＰを有するＤＩＡＭＥＴＥＲ位置削除要求（ＣＬＲ）メッセージであることが好ましい。これはステップ２０に対応する。
【００４０】
上記に指定されたＤＩＡＭＥＴＥＲ  ＣＬＲ要求を受信すると、ＭＭＥノードはＲＡＮにすぐ再アタッチするさらなる要求を含むデタッチ要求を、対応するＵＥへ送信する。即時のアタッチ要求を含むデタッチ要求は、既存の３ＧＰＰ  ＴＳ  ２３．４０１規格に指定されている。
【００４１】
ＵＥはデタッチ要求を受け入れ、パケットアクセスネットワークから離れて、３ＧＰＰ  ＴＳ  ２３．４０１２に従ってアタッチ手順を開始する。アタッチ手順の一部として、ＵＥはＩＭＳネットワークの利用可能なＰ−ＣＳＣＦノードのアドレスを受信する。ＵＥは、ＳＩＰ  ＲＥＧＩＳＴＥＲメッセージによりこのアドレスを使用してこの新たなＰ−ＣＳＣＦノードに向けて登録を開始する。規格ＩＭＳ登録手順はこのルーティンを完了して、ＵＥのＩＭＳ接続を再確立する。これはステップ３０に対応する。
【００４２】
登録が完了したら、Ｓ−ＣＳＣＦは、設定すべきＳＩＰセッションに使用できる新たな登録をＵＥが有することを認識する。Ｓ−ＣＳＣＦは対応するＳＩＰ  ＩＮＶＩＴＥをＵＥへ送信する。
【００４３】
図３は、例えばＳ−ＣＳＣＦノード等の発呼者のＩＭＳノードによって実施される記載の方法の主要なステップを示す。図４は、ＨＳＳノードによって実施される記載の方法の主要なステップを示す。同様に、図５は、例えばＬＴＥアーキテクチャのＭＭＥノード等の制御ノードによって実施される記載の方法の主要なステップを示す。
【００４４】
これにより、本発明による方法の基本原理の要点が説明される。本方法の実施形態は、普遍概念を失くすことなく記載される。
【００４５】
図６及び図７は、Ｐ−ＣＳＣＦノードの障害の検出につながる２つの潜在的なシナリオを示す図である。Ｓ−ＣＳＣＦノードはＳＩＰ  ＩＮＶＩＴＥメッセージを受信する。この特定のＵＥと接触するように意図されたメッセージは例えば、ＩＭＳネットワークのＭＭＴｅｌ  ＡＳから発信されうる。Ｓ−ＣＳＣＦは、ＵＥが登録されているＰ−ＣＳＣＦへ対応するＳＩＰ  ＩＮＶＩＴＥメッセージを送信する。図６に示す例においては、対応するＰ−ＣＳＣＦが利用可能であるが、障害がある又は正常に動作しないため、対応するＰ−ＣＳＣＦは着呼ＵＥに関するデータを見つけることができない。Ｐ−ＣＳＣＦノードは通常、「１００  ｔｒｙｉｎｇ」ＳＩＰメッセージにより、Ｐ−ＣＳＣＦノードが現在データを見つけようとしていることを示す。最終的に見つけることができないと、Ｐ−ＣＳＣＦノードは着呼ユーザが確認されていないことを示す対応するメッセージをＳ−ＣＳＣＦノードへ送信する。この対応するメッセージは、「４０４  Ｎｏｔ  Ｆｏｕｎｄ」メッセージであってもよく、ＳＩＰプロトコルの任意の関連する４ｘｘ又は５ｘｘメッセージであってもよい。
【００４６】
図７に示す例では、Ｐ−ＣＳＣＦノードが利用できないため、Ｐ−ＣＳＣＦから応答がない場合、Ｓ−ＣＳＣＦは固定タイムアウト後に障害を検出する。
【００４７】
Ｐ−ＣＳＣＦの障害を検出した後、Ｓ−ＣＳＣＦは、ＩＭＳネットワークへの着呼ＵＥの接続を回復させるための本発明による回復手順を開始する。この手順は非同期であってよく、これにより、発呼Ｓ−ＣＳＣＦはセッションシグナリングへの対処を継続する前に着呼ＵＥの接続が回復するまで待たない。手順は同期であってよく、これにより、発呼Ｓ−ＣＳＣＦはセッションシグナリングへの対処を継続する前に着呼ＵＥの接続が回復するまで待つことになる。
【００４８】
図８は、非同期の場合に含まれる主要なステップを示す図である。第１のステップでは、Ｓ−ＣＳＣＦノードはＤＩＡＭＥＴＥＲユーザ認可要求（ＵＡＲ）をＨＳＳノードへ送信する。ＵＡＲメッセージは、新たなＵＥの登録が必要であることを示す。この要求は、「ＮＥＷ＿ＲＥＧＩＳＴＲＡＴＩＯＮ＿ＮＥＥＤＥＤ」であることが好ましいＵＡＲのユーザ認可タイプのアトリビュートバリューペア（ＡＶＰ）の新たな値によって伝達される。  
【００４９】
ＵＥのＩＭＳアイデンティティ（ＩＭＰＵ）を含むことが好ましいＵＡＲ要求を受信すると、ＨＳＳは発呼Ｓ−ＣＳＣＦノードに対応するＤＩＡＭＥＴＥＲユーザ認可応答（ＵＡＡ）メッセージを返信することによって受信をアクノリッジする。ステップ３において、ＨＳＳは受信したＩＭＰＵをＵＥの対応するパケットシステムアイデンティティ（ＩＭＳＩ）にマッピングし、どのパケットノードがＵＥのパケット登録を行うかを検索する。ＨＳＳは、例えばデータベースとして構成される記憶装置にＵＥのアイデンティティを記憶させる。ＵＥがＬＴＥ  ＲＡＮを使用して接続した場合、ＨＳＳによって検索されたノードはＭＭＥノードである。ＨＳＳは、ＤＩＡＭＥＴＥＲ位置削除要求（ＣＬＲ）を識別されたＭＭＥノードへ送信する。このメッセージはＵＥのパケットアクセスをリセットすべきであることを示すＡＶＰを含むことが好ましい。ＡＶＰは削除タイプのＡＶＰであることが好ましく、要求は値「ＲＥ＿ＡＴＴＡＣＨ＿ＰＲＯＣＥＤＵＲＥ」によって伝達されることが好ましい。あるいは、他のＤＩＡＭＥＴＥＲメッセージを使用してこの情報を伝達することができる。
【００５０】
ＭＭＥノードは、ＤＩＡＭＥＴＥＲ  ＣＬＡ（位置削除応答）メッセージを使用して、ＤＩＡＭＥＴＥＲ  ＣＬＲメッセージの受信をアクノリッジする。ＭＭＥノードは続いて、ＵＥへ即時のアタッチ要求を含むデタッチ要求を送信する。これは例えば、３ＧＰＰ  ＴＳ  ２３．４０１規格に従って、即時の再アタッチ要求を有するデタッチ要求を提供する既知の要求によって実行することができる。対応する要求を受信すると、ＵＥはステップ６においてＭＭＥノードに対し受信をアクノリッジする。ＵＥは、アタッチ要求をＭＭＥノードへ送信することによって、ステップ７において要求されたアタッチ手順を開始する。３ＧＰＰ  ＴＳ  ２３．４０１規格に従って、よく知られた規格パケットサービスアタッチ手順が次に行われる。この手順の一部として、ＵＥはＩＭＳネットワークの利用可能なＰ−ＣＳＣＦノードのアドレスを取得する。ＵＥはこのアドレスを使用して、ＳＩＰ  ＲＥＧＩＳＴＥＲメッセージを用いて利用可能なＰ−ＣＳＣＦに向けて登録を開始する（ステップ８）。よく知られた規格ＩＭＳ登録手順が行われる。登録が完了すると、発呼Ｓ−ＣＳＣＦは最初に意図したように、ＵＥへの接続を構成することが可能になる。
【００５１】
図９は、同じ回復手順の対応する非同期的実行態様を示す図である。図８のシナリオの違いは、ＩＭＥネットワークへのＵＥの接続が良好に回復した時のみ、最初のＤＩＡＭＥＴＥＲ  ＵＡＲ要求がアクノリッジされるということである。これにより、Ｓ−ＣＳＣＦが、ＵＥが利用可能になるまで待機している間に呼を保留することができるようになる。発呼ユーザにとってはこの手順はしたがって、再登録プロセスのために呼設定中の遅延がわずかに長引くことを除いては、ほぼ完全に透過的である。概要が述べられた方法なしではＵＥへの呼に障害が生じるため、いかなる場合にもサービスの品質が向上する。
【００５２】
本発明による方法の記載されたすべての実施形態において、Ｓ−ＣＳＣＦノードを、最初にＳ−ＣＳＣＦノードと接触せずに対応する手順を直接開始することができるＩＭＳネットワークのＡＳノードに替えることができる。ＡＳは、例えばマルチメディアテレフォニーＡＳ、ＳＭＳ  ＩＰゲートウェイＡＳ、セッション継続集中アプリケーションサーバ、ＳＣＣ  ＡＳ、又はなんらかの他の既知のアプリケーションサーバ等のＵＥとの接続を確立する必要がある任意のＡＳであってよい。
【００５３】
記載されたすべての実施形態において、ＵＥはＬＴＥ  ＲＡＮを通してＩＭＳに接続することになっている。あるいは、ＵＥは、例えばＧＰＲＳネットワーク、又はＨＳＰＡネットワーク等の第２世代、又は第３世代（２Ｇ、３Ｇ）ＲＡＮを使用してＩＭＳに接続することができる。上記の場合には、図８及び図９のＭＭＥノードは、例えば対応するサービングＧＰＲＳサポートノード（ＳＧＳＮ）に替えることができる。ＨＳＳノードと対応するＳＧＳＮノードとの間の通信は、記載されたようにＤＩＡＭＥＴＥＲプロトコルを使用して、または代替的に、モバイルアプリケーションパート（ＭＡＰ）プロトコルを使用して実行することができ、この場合、ＣＬＲ要求は「パケットアクセスリセット」削除タイプを示すＭＡＰ＿ＣＡＮＣＥＬ＿ＬＯＣＡＴＩＯＮメッセージに替えられる。
【００５４】
代替実施形態において、ＵＥはＳＧＳＮノードとＭＭＥノードの両方に同時に関連付けることができ、２つのパケットサービスへのアクセスを潜在的に提供する。その場合、記載された位置削除要求がＨＳＳからＭＭＥとＳＧＳＮノードの両方に送信される。ＵＥはアクティブ状態のパケットサービスにおいて記載されたパケットアクセス手順を開始する。
【００５５】
図１０は、本発明によるＩＭＳノード１００の一実施形態を示す概略図である。ノードは、Ｓ−ＣＳＣＦノードとして、又は代替的にアプリケーションサーバ（ＡＳ）ノードとして動作するように構成される。これにより、図８及び図９のＳ−ＣＳＣＦノードの機能が得られる。ノード１００は、ＤＩＡＭＥＴＥＲメッセージを送信するための少なくとも一つの送信ユニット１１０を備える。ノード１００はさらにプロセッサ１２０と記憶装置１３０を備え、プロセッサ１２０は、ユーザ装置（ＵＥ）にパケットアクセスネットワークへのＵＥの接続をリセットするように要求するＤＩＡＭＥＴＥＲ要求１１１を生成するように構成される。プロセッサはさらに、前記ＤＩＡＭＥＴＥＲ要求をホーム加入サーバ（ＨＳＳ）ノードへ伝送するように構成される。
【００５６】
図１１は、本発明によるＨＳＳノード２００の一実施形態を示す概略図である。ノードは、図８及び図９のＨＳＳノードの機能を提供することができる。ノード２００は、ＩＭＳノードからＤＩＡＭＥＴＥＲメッセージを受信するための少なくとも一つの受信ユニット２４０を備える。ノード２００はさらに、例えばＤＩＡＭＥＴＥＲ又はＭＡＰメッセージを送信するための少なくとも一つの送信ユニット２１０を備える。ノード２００はさらにプロセッサ２２０と記憶装置２３０を備え、プロセッサ１２０は、ユーザ装置（ＵＥ）にパケットアクセスネットワークへのＵＥの接続をリセットするように要求するＤＩＡＭＥＴＥＲ要求２４１を受信するように構成される。プロセッサはさらに、ＵＥに前記パケットアクセスネットワークへのＵＥの接続をリセットするように要求する要求２１１を生成し、前記要求２１１を前記制御ノードへ伝送するように構成される。
【００５７】
図１２は、本発明によるパケットアクセスネットワークの制御ノード３００の一実施形態を示す概略図である。ノードは、図８及び図９のＭＭＥノードの機能、又は代替的に、ＳＧＳＮノードの機能を提供することができる。ノード３００は、ＨＳＳノードから要求を受信するための少なくとも一つの受信ユニット３４０を備える。ノード３００はさらに、メッセージを送信するための少なくとも一つの送信ユニット３１０を備える。ノード３００はさらにプロセッサ３２０と記憶装置３３０とを備え、プロセッサ３２０は、ユーザ装置（ＵＥ）にパケットアクセスネットワークへのＵＥの接続をリセットするように要求する要求３４１を受信するように構成される。プロセッサはさらに、ＵＥに前記パケットアクセスネットワークへのＵＥの接続をリセットするように要求する要求３１１を生成し、前記要求を前記ＵＥへ伝送するように構成される。
【００５８】
記憶装置１３０、２３０、３３０は、各処理ユニット１２０、２２０、３３０によって処理される指示を記憶する。各ノード１００、２００、３００は、記憶された対応する指示を処理することによって記載のように機能するように構成されたコンピュータと見なすことができる。
【００５９】
当業者には、本発明の範囲から逸脱することなく、上述の実施形態に様々な変更を行うことができることが理解されるだろう。
【図２】
2015520999.tif 000003
【図３】
2015520999.tif 000004
【図４】
2015520999.tif 000005
【図５】
2015520999.tif 000006
【図６】
2015520999.tif 000007
【図７】
2015520999.tif 000008
【図８】
2015520999.tif 000009
【図９】
2015520999.tif 000010
【図１０】
2015520999.tif 000011
【図１１】
2015520999.tif 000012
【図１２】
2015520999.tif 000013
【図１】
2015520999.tif 000014
【手続補正書】
【提出日】平成26年6月4日(2014.6.4)
【手続補正１】
【補正対象書類名】特許請求の範囲
【補正対象項目名】全文
【補正方法】変更
【補正の内容】
【特許請求の範囲】
【請求項１】
ＩＰマルチメディアサブシステム（ＩＭＳ）ネットワークのノードと、ユーザ装置（ＵＥ）との間の接続を回復する方法であって、前記ＵＥは前記ＩＭＳネットワークのプロキシ呼セッション制御機能ノード（Ｐ−ＣＳＣＦ）に関連付けされており、前記ＵＥはさらに、前記ＩＭＳネットワークに接続するために前記ＵＥによって使用されるパケットアクセスネットワークの少なくとも一つの制御ノードに関連付けされており、前記Ｐ−ＣＳＣＦノードを介した前記ＵＥとの通信の確立において前記ＩＭＳノードに障害が生じており、前記方法は、
−  前記ＩＭＳノードにおいて、ホーム加入サーバ（ＨＳＳ）ノードへ、前記ＵＥに前記パケットアクセスネットワークへの前記ＵＥの接続をリセットするように要求し、前記ＵＥの新たな登録が必要であることを示す第１のＤＩＡＭＥＴＥＲ要求を送信すること（１０；４０）と、
−  前記ＨＳＳノードにおいて、前記ＩＭＳノードからの前記第１のＤＩＡＭＥＴＥＲ要求を受信し、前記ＵＥのアイデンティティを提供し、前記パケットアクセスネットワークにおいて前記ＵＥが関連付けされている少なくとも一つの制御ノードのアドレスを検索し、前記ＵＥに前記パケットアクセスネットワークへの前記ＵＥの接続をリセットするように要求し、前記ＵＥの再アタッチが必要であることを示す第２の要求を前記少なくとも一つの制御ノードへ送信すること（２０；５０）と、
−  前記制御ノードにおいて、前記ＨＳＳノードから前記第２の要求を受信し、前記ＵＥに前記パケットアクセスネットワークへの前記ＵＥの接続をリセットするように要求する第３の要求を前記ＵＥへ送信することであって、前記リセットは前記ＩＭＳネットワークの利用可能なＰ−ＣＳＣＦノードへの登録を含む、送信すること（３０；６０）と
を含む方法。
【請求項２】
インターネットマルチメディアサブシステム（ＩＭＳ）ネットワークノードにおいて、ユーザ装置（ＵＥ）にパケットアクセスネットワークへの前記ＵＥの接続をリセットするように要求する方法であって、前記ＵＥに前記パケットアクセスネットワークへの前記ＵＥの接続をリセットするように要求し、前記ＵＥの新たな登録が必要であることを示すＤＩＡＭＥＴＥＲ要求をホーム加入サーバ（ＨＳＳ）ノードへ送信すること（４０）を含む方法。
【請求項３】
ホーム加入サーバ（ＨＳＳ）ノードにおいて第１のＤＩＡＭＥＴＥＲ要求に対処する方法であって、前記要求はＩＭＳノードから受信したものであり、前記要求はＵＥにパケットアクセスネットワークへの前記ＵＥの接続をリセットするように要求するものであり、前記方法は、前記ＵＥが関連付けされている前記パケットアクセスネットワークの制御ノードのアイデンティティを提供することと、前記ＵＥに前記パケットアクセスネットワークへの前記ＵＥの接続をリセットするように要求し、前記ＵＥの再アタッチが必要であることを示す要求を前記制御ノードへ送信すること（５０）を含む方法。
【請求項４】
前記第１のＤＩＡＭＥＴＥＲ要求は、「ＮＥＷ＿ＲＥＧＩＳＴＲＡＴＩＯＮ  ＮＥＥＤＥＤ」を示すユーザ認可タイプのアトリビュートバリューペア（ＡＶＰ）値を有するＤＩＡＭＥＴＥＲユーザ認可要求（ＵＡＲ）である、請求項１から３のいずれか一項に記載の方法。
【請求項５】
前記第２の要求は、「ＲＥ＿ＡＴＴＡＣＨ＿ＰＲＯＣＥＤＵＲＥ」を示す削除タイプのアトリビュートバリューペア（ＡＶＰ）値を有するＤＩＡＭＥＴＥＲの位置削除要求（ＣＬＲ）である、請求項１又は３に記載の方法。
【請求項６】
前記ＩＭＳノードは、サービング呼セッション制御機能（Ｓ−ＣＳＣＦ）である、請求項１から３のいずれか一項に記載の方法。
【請求項７】
前記ＩＭＳノードがＩＭＳアプリケーションサーバ（ＩＭＳ  ＡＳ）ノードであり、前記ＩＭＳ  ＡＳは携帯パケットサービスを介して音声及びマルチメディア通信サービスを提供するマルチメディアテレフォニーアプリケーションサーバ（ＭＭＴｅｌ  ＡＳ）、又はロングタームエボリューション（ＬＴＥ）ネットワークを介して音声を提供するテレフォニーアプリケーションサーバ（ＴＡＳ）、又はセッション継続集中アプリケーションサーバ（ＳＣＣ  ＡＳ）である、請求項１から３のいずれか一項に記載の方法。
【請求項８】
前記パケットアクセスネットワークがロングタームエボリューション（ＬＴＥ）ネットワークであり、前記制御ノードがモバイル管理エンティティ（ＭＭＥ）ノードである、請求項１から７のいずれか一項に記載の方法。
【請求項９】
前記パケットアクセスネットワークが汎用パケット無線サービス（ＧＰＲＳ）ネットワークであり、前記制御ノードがサービングＧＰＲＳサポートノード（ＳＧＳＮ）である、請求項１から８のいずれか一項に記載の方法。
【請求項１０】
ＩＰマルチメディアサブシステム（ＩＭＳ）ネットワークノードとして動作するように構成された装置（１００）であって、
ＤＩＡＭＥＴＥＲ要求を送信するための伝送ユニット（１１０）と、
処理ユニット（１２０）であって、
−  ユーザ装置（ＵＥ）にパケットアクセスネットワークへの前記ＵＥの接続をリセットするように要求し、前記ＵＥの新たな登録が必要であることを示すＤＩＡＭＥＴＥＲ要求（１１１）を生成し、
−  前記ＤＩＡＭＥＴＥＲ要求をホーム加入サーバ（ＨＳＳ）ノードへ伝送するように構成された処理ユニットと
を備える装置。
【請求項１１】
前記装置が、サービング呼セッション制御機能（Ｓ−ＣＳＣＦ）ＩＭＳノードとして動作するように構成されている、請求項１０に記載の装置。
【請求項１２】
前記装置はＩＭＳアプリケーションサーバ（ＡＳ）ノードとして動作するように構成され、前記ＩＭＳ  ＡＳは携帯パケットサービスを介して音声及びマルチメディア通信サービスを提供するマルチメディアテレフォニーアプリケーションサーバ（ＭＭＴｅｌ  ＡＳ）、又はロングタームエボリューション（ＬＴＥ）ネットワークを介して音声を提供するＩＭＳテレフォニーアプリケーションサーバ（ＴＡＳ）、又はＩＭＳセッション継続集中アプリケーションサーバ（ＳＣＣ  ＡＳ）である、請求項１０に記載の装置。
【請求項１３】
ホーム加入サービス（ＨＳＳ）ノードとして動作するように構成された装置（２００）であって、
要求を送信するための伝送ユニット（２１０）と、
ＤＩＡＭＥＴＥＲ要求を受信するための受信ユニット（２４０）と、
ユーザ装置（ＵＥ）と、処理ユニット（２２０）に関連するアイデンティティを記憶するように構成された記憶装置（２３０）であって、
−  前記ユーザ装置（ＵＥ）にパケットアクセスネットワークへの前記ＵＥの接続をリセットするように要求し、前記ＵＥの新たな登録が必要であることを示す第１のＤＩＡＭＥＴＥＲ要求（２４１）を受信し、
−  前記ＵＥに前記パケットアクセスネットワークへの前記ＵＥの接続をリセットするように要求し、前記ＵＥの再アタッチが必要であることを示す第２の要求（２１１）を生成し、
−  前記パケットアクセスネットワークの制御ノードへ前記第２の要求を伝送するように構成され、前記ＵＥは前記制御ノードに関連付けされている記憶装置と
を備える装置。
【請求項１４】
前記第１のＤＩＡＭＥＴＥＲ要求は、「ＮＥＷ＿ＲＥＧＩＳＴＲＡＴＩＯＮ  ＮＥＥＤＥＤ」を示すユーザ認可タイプのアトリビュートバリューペア（ＡＶＰ）値を有するＤＩＡＭＥＴＥＲユーザ認可要求（ＵＡＲ）である、請求項１０から１３のいずれか一項に記載の装置。
【国際調査報告】
2015520999.tif 000015
2015520999.tif 000016